(57)【要約】【課題】スクリーンが矩形以外の形状とされた場合でもスクリーンをガイド部材に沿って昇降させる。【解決手段】ロールスクリーンは、固定面に取付けられた支持部材、支持部材に両端を回転可能に支持され巻取パイプ、一端を巻取パイプに巻取り及び巻解き可能に連結されたスクリーン、スクリーンの他端に連結されたウエイトバー、巻取パイプの回転軸方向におけるスクリーンの両端近傍又は中央に設けられ、スクリーンの巻取り時又は巻解き時にウエイトバーをガイドするガイド部材を有する。ガイド部材は、ウエイトバーの一端側と接しつつウエイトバーをガイドする第１ガイド部材と、ウエイトバーの他端側あるいは中央に設けられオフセット部材を介して他端側又は中央からスクリーンの前後方向において離間した位置でウエイトバーをガイドする第２ガイド部材とを有する。スクリーンの上記回転軸方向の幅は、少なくとも一部が他部よりも小さく形成される。【選択図】図２
2018040106.tif 000002
【特許請求の範囲】
【請求項１】
固定面に取付けられる支持部材と、
前記支持部材に両端を回転可能に支持された巻取パイプと、
一端を前記巻取パイプに巻取り及び巻解き可能に連結されたスクリーンと、
前記スクリーンの他端に連結されたウエイトバーと
前記巻取パイプの回転軸方向における前記スクリーンの両端近傍あるいは中央に設けられ、前記スクリーンの巻取り時または巻解き時に前記ウエイトバーガイドするガイド部材と
を具備し、
前記ガイド部材は、前記ウエイトバーの一端側と接しつつ前記ウエイトバーをガイドする第１ガイド部材と、前記ウエイトバーの他端側あるいは中央に設けられたオフセット部材を介して、前記他端側あるいは中央から前記スクリーンの前後方向において離間した位置で前記ウエイトバーをガイドする第２ガイド部材とを有し、
前記スクリーンの前記回転軸方向の幅は、少なくとも一部が他部よりも小さく形成された
ロールスクリーン。
【請求項２】
請求項１に記載のロールスクリーンであって、
前記スクリーンの前記回転軸方向の幅は、前記巻取り方向または前記巻解き方向ほど小さく形成された
ロールスクリーン。
【請求項３】
請求項１または２に記載のロールスクリーンであって、
前記第１ガイド部材と前記第２ガイド部材とは、前記スクリーンの前後方向に対して異なる位置に設けられた
ロールスクリーン。
【請求項４】
請求項１乃至３に記載のロールスクリーンであって、
前記回転軸方向における前記スクリーンの前記第２ガイド部材側の端部の辺は、前記スクリーンの前後方向から見て前記第２ガイド部材のガイド方向と非平行である
ロールスクリーン。
【請求項５】
請求項１乃至４のいずれかに記載のロールスクリーンであって、
前記第１ガイド部材は、前記巻取り及び巻解き方向に張設され前記ウエイトバーの前記一端に挿通された第１ガイドワイヤであり、
前記第２ガイド部材は、前記巻取り及び巻解き方向に張設され前記オフセット部材の前記離間した位置に挿通された第２ガイドワイヤである
ロールスクリーン。
【請求項６】
請求項１乃至５のいずれかに記載のロールスクリーンであって、
前記第１ガイド部材は、前記巻取り及び巻解き方向に設けられ前記ウエイトバーの前記一端を摺動させる第１ガイドレールであり、
前記第２ガイド部材は、前記巻取り及び巻解き方向に設けられ前記オフセット部材の前記離間した位置の部位を摺動させる第２ガイドレールである
ロールスクリーン。
【請求項７】
請求項１乃至６のいずれかに記載のロールスクリーンであって、
前記ウエイトバーの前記一端に設けられ、当該ウエイトバーの前記第１ガイド部材への係止及び係止解除を切り替えて当該ウエイトバーを任意の昇降位置で停止させることが可能なストッパーをさらに具備する
ロールスクリーン。
【発明の詳細な説明】
【技術分野】
【０００１】
本発明は、ロールスクリーンに関する。
【背景技術】
【０００２】
従来のロールスクリーンとして、サイドレールに沿って設けられたワイヤによって、スクリーンの移動及び任意位置での停止を可能としたものが存在する。
【０００３】
例えば、下記特許文献１には、ウエイトバーの端部に調整シャフトの根元部を長手方向出入自在に取付け、調整シャフトの先端部をサイドレールの内側において外側面側が開口した箱状のバーガイド本体にその内側面部からねじ込み、その外側面側からコマを出入自在にはめて調整シャフトの先端部に当接し、サイドレールの内側にブレーキワイヤを張設し、ワイヤをバーガイド本体の上下面部とコマのワイヤ孔を通し、ブレーキワイヤをく字形に曲げてワイヤ孔に摩擦係合させることにより制動することが開示されている。
【０００４】
この技術によれば、調整シャフトのねじ込み量を調整することで摩擦制動力を調整し、スクリーン最下位置における巻上げスプリングの弾性反発力よりも少し大きく設定すると、スクリーンを任意の位置に停止させることができる。
【０００５】
また、車両用ロールスクリーンとして振動がある状態で使用しても、摩擦制動力が弱まるおそれはないため、振動の有無にかかわらず、スクリーンを任意の位置に停止させることができる。
【先行技術文献】
【特許文献】
【０００６】
【特許文献１】特開平５−３１１９６１号公報
【発明の概要】
【発明が解決しようとする課題】
【０００７】
しかしながら、車両等の矩形ではない異形窓にロールスクリーンを設置するにあたっては、窓の形状に合わせてスクリーンを異形にする必要があるが、例えば下部の幅が上部よりも小さくなるような異形窓とした場合、ブレーキワイヤをスクリーンの形状に合わせて設置すると、ブレーキワイヤが斜めに張設されることになるため、スクリーンがブレーキワイヤに引っ掛かって昇降させることができなくなる。
【０００８】
一方、スクリーン端部よりもウエイトバーの長さを延ばせばブレーキワイヤを垂直に張設することは可能となるが、その場合にはガイドワイヤは異形窓の外側のずれた位置に配されることになるため、ブレーキワイヤの下端を固定する位置に制約が出てしまう。
【０００９】
以上のような事情に鑑み、本発明の目的は、スクリーンが矩形以外の形状とされた場合でも、スクリーンをガイド部材に沿って昇降させることが可能なロールスクリーンを提供することにある。
【課題を解決するための手段】
【００１０】
上記目的を達成するため、本発明の一形態に係るロールスクリーンは、支持部材と、巻取パイプと、スクリーンと、ウエイトバーと、ガイド部材とを有する。上記支持部材は、固定面に取付けられる。上記巻取パイプは、上記支持部材に両端を回転可能に支持される。上記スクリーンは、一端を上記巻取パイプに巻取り及び巻解き可能に連結される。上記ウエイトバーは、上記スクリーンの他端に連結される。上記ガイド部材は、上記巻取パイプの回転軸方向における上記スクリーンの両端近傍あるいは中央に設けられ、上記スクリーンの巻取り時または巻解き時に上記ウエイトバーをガイドする。また上記ガイド部材は、上記ウエイトバーの一端側と接しつつ上記ウエイトバーをガイドする第１ガイド部材と、上記ウエイトバーの他端側あるいは中央に設けられたオフセット部材を介して、上記他端側あるいは中央から上記スクリーンの前後方向において離間した位置で上記ウエイトバーをガイドする第２ガイド部材とを有する。さらに、上記スクリーンの上記回転軸方向の幅は、少なくとも一部が他部よりも小さく形成される。
【００１１】
この構成によれば、第１のガイド部材がウエイトバーの一端に接する一方、第２のガイド部材がウエイトバーの他端から離間した位置でガイドすることで、第２ガイド部材がスクリーンと干渉しない位置にあるため、スクリーンの形状が、少なくとも一部が小さいとされた場合でも、ガイド部材がスクリーンの昇降に支障をきたすことなくスクリーンを昇降させることができる。
【００１２】
前記スクリーンの前記回転軸方向の幅は、前記巻取り方向または前記巻解き方向ほど小さく形成されてもよい。
【００１３】
この構成によれば、スクリーンの形状が、ウエイトバー側ほど幅が小さい（または大きい）矩形以外の形状（台形）とされた場合でも、ガイド部材がスクリーンの昇降に支障をきたすことなくスクリーンを昇降させることができる。
【００１４】
上記第１ガイド部材と上記第２ガイド部材とは、上記スクリーンの前後方向に対して異なる位置に設けられてもよい。
【００１５】
これにより第１のガイド部材と第２のガイド部材の位置がスクリーンの前後方向で異なることで、スクリーンの第２のガイド部材側の縁部が斜めに形成された場合でも第２のガイド部材にスクリーンが干渉するのを防止することができる。また、両ガイド部材がウエイトバーの側面に配置される場合に比べて、スクリーンのうち、オフセットされた第２のガイド部材側の部分は、その側部にガイド部材が設置されないため、ロールスクリーンが設置される窓の端部まで遮蔽することができ、その部分からの光漏れをより防ぐことができる。
【００１６】
上記回転軸方向における上記スクリーンの上記第２ガイド部材側の端部の辺は、上記スクリーンの前後方向から見て上記第２ガイド部材のガイド方向と非平行であってもよい。
【００１７】
これにより、第２のガイド部材のガイド方向から独立してスクリーンの形状を決定することができる。
【００１８】
上記第１ガイド部材は、上記巻取り及び巻解き方向に張設され上記ウエイトバーの上記一端に挿通された第１ガイドワイヤであってもよい。また上記第２ガイド部材は、上記巻取り及び巻解き方向に張設され上記オフセット部材の上記離間した位置に挿通された第２ガイドワイヤであってもよい。
【００１９】
これにより、第２ガイドワイヤがオフセット部材の離間した位置に挿通されることで、第２ガイドワイヤがスクリーンと干渉するのを防ぐことができる。
【００２０】
上記第１ガイド部材は、上記巻取り及び巻解き方向に設けられ上記ウエイトバーの上記一端を摺動させる第１ガイドレールであってもよい。また上記第２ガイド部材は、上記巻取り及び巻解き方向に設けられ上記オフセット部材の上記離間した位置の部位を摺動させる第２ガイドレールであってもよい。
【００２１】
これにより、第２ガイドレールがオフセット部材の離間した位置を摺動させることで、第２ガイドレールがスクリーンと干渉するのを防ぐことができる。
【００２２】
上記ウエイトバーの上記一端に設けられ、当該ウエイトバーの上記第１ガイド部材への係止及び係止解除を切り替えて当該ウエイトバーを任意の昇降位置で停止させることが可能なストッパーをさらに有してもよい。
【００２３】
これにより、ウエイトバーの第１ガイド部材側にストッパーが設けられることで、ロールスクリーンとしての意匠性が向上するとともに、ユーザがウエイトバーを持ちながらストッパーによるウエイトバーの係止及び解除可能を切り替えて昇降位置を調整することができ、操作性が向上する。
【発明の効果】
【００２４】
以上説明したように、本発明によれば、スクリーンが矩形以外の形状とされた場合でも、スクリーンをガイド部材に沿って昇降させることができる。しかし、当該効果は本発明を限定するものではない。
【図面の簡単な説明】
【００２５】
【図１】本発明の一実施形態に係るロールスクリーンが設置されたショベルカーを示した図である。
【図２】本発明の一実施形態に係るロールスクリーンの斜視図である。
【図３】図２で示したロールスクリーンの正面図である。
【図４】図３で示したロールスクリーンが途中まで上昇した状態の正面図である。
【図５】上記ロールスクリーンの左側面図である。
【図６】上記ロールスクリーンの右側面図である。
【図７】上記ロールスクリーンのウエイトバー近傍の斜視図である。
【図８】上記ロールスクリーンのウエイトバー近傍の部分断面図である。
【図９】上記ロールスクリーンが有するガイドワイヤの構造を示した正面図及び部分断面図である。
【図１０】図９で示したガイドワイヤの張力が調整された状態を示した正面図及び部分断面図である。
【図１１Ａ】上記ガイドワイヤの取付手順を示す図である。
【図１１Ｂ】上記ガイドワイヤの取付手順を示す図である。
【図１１Ｃ】上記ガイドワイヤの取付手順を示す図である。
【図１１Ｄ】上記ガイドワイヤの取付手順を示す図である。
【図１２】上記ロールスクリーンのストッパー周辺の平面視の部分断面図である。
【図１３】上記ロールスクリーンのストッパー周辺の平面視の断面図である。
【図１４】図８のＡ−Ａ断面図である。
【図１５】本発明の他の実施形態のストッパー周辺の平面視の断面図である。
【図１６】本発明の他の実施形態に係るロールスクリーンの斜視図である。
【発明を実施するための形態】
【００２６】
以下、図面を参照しながら、本発明の実施形態を説明する。
【００２７】
［ロールスクリーンの構成］
図１は、本発明の一実施形態に係るブラインドとしてのロールスクリーンが設置されたショベルカーを示した図である。また図２は、上記ロールスクリーンの斜視図である。図３は、図２で示したロールスクリーンの正面図である。図４は、図３で示したロールスクリーンが途中まで上昇した状態の正面図である。また図５は、上記ロールスクリーンの左側面図であり、図６は、上記ロールスクリーンの右側面図である。
【００２８】
図１に示すように、本実施形態に係るロールスクリーン１００は、例えばショベルカーＳ等の重機の運転室Ｄ内の側面の窓Ｗの部分に設置可能なものである。
【００２９】
ショベルカーＳ等の運転室Ｄの窓Ｗは、矩形ではなく例えば台形形状（例えば、上辺が底辺よりも長く、左右の辺の一方が垂直であり、他方が非垂直である台形）を有しており、ロールスクリーン１００は、当該矩形ではない窓Ｗの形状に沿った形状を有している。図示しないが、窓は運転室Ｄの反対側の側面にも存在し、当該窓に同様の形状のロールスクリーン１００が設置される。なお、運転室Ｄの前面にも窓が存在し、当該窓にもロールスクリーンが設置されるが、その形状は矩形である。
【００３０】
図２乃至図６に示すように、ロールスクリーン１００は、支持部材１と、巻取パイプ２と、スクリーン３と、ウエイトバー４とを有する。
【００３１】
スクリーン３の正面視において、奥側が屋外側であり、手前側が屋内側（運転室内側）とされる。
【００３２】
支持部材１は、例えば上記ショベルカーＳの運転席Ｄ内の窓Ｗ上部の壁面や枠体等の固定面にネジ止め等により取り付けられ、巻取パイプ２を支持する。支持部材１は、例えばセットフレームにより構成され、その両側面には、図５に示すように、一対のサイドプレート１ａが取り付けられている。
【００３３】
図５に示すように、巻取パイプ２は、支持部材１の内部において、一対のサイドプレート１ａによって、両端を回転可能に支持される。
【００３４】
スクリーン３は、遮蔽材として機能し、巻取パイプ２にその一端が連結され、巻取パイプ２に巻取り及び巻解き（昇降）可能に吊り下げられており、巻取パイプ２に内蔵される図示しない巻取スプリングによって、巻取パイプ２には、常にスクリーン３を巻取る方向に回転が付勢されている。
【００３５】
図３に示すように、上記スクリーン３の、上記巻取パイプ２の回転軸方向（各図Ｘ方向）の幅は、スクリーン３の巻解き方向（各図Ｙ方向の下方）ほど小さく形成されている。より具体的には、スクリーン３は、上記ショベルカーＳの窓Ｗに沿って、各図Ｙ方向で対向する上辺と底面のうち上辺が底辺よりも長く、Ｘ方向で対向する両辺のうち正面視における右辺が垂直であり、左辺が非垂直である台形形状を有する。もちろん、当該形状は窓Ｗの形状に応じて適宜変更されるものであり、例えば垂直な辺と非垂直な辺が入れ替わった態様も想定される。
【００３６】
スクリーン３の下端には、ウエイトバー４が取り付けられている。スクリーン３の下端は、例えば当該ウエイトバー４の内部に設置されたプレートに巻回されて固定されているが（図１４のスクリーン止めプレート３１参照）、当該下端がウエイトバー４を周回して縫製されていてもよい。
【００３７】
また、上記巻取パイプ２の回転軸方向（各図Ｘ方向）におけるスクリーン３の両端近傍には、上記スクリーン３の昇降時（巻取り時または巻解き時）に、上記ウエイトバー４の両端をガイドするガイド装置（ガイド部材）としての第１ガイドワイヤ５（正面視右側）及び第２ガイドワイヤ６（正面視左側）が設けられている。
【００３８】
第１ガイドワイヤ５は、スクリーン３の昇降方向（各図Ｙ方向）において対向する固定部材としての第１ブラケット７ａ（下部）及び第２ブラケット７ｂ（上部）の間に張設され、第２ガイドワイヤ６は、同じくスクリーン３の昇降方向において対向する固定部材としての第１ブラケット８ａ（下部）及び第２ブラケット８ｂ（上部）の間に張設される。当該ブラケット７及び第１ガイドワイヤ５、並びにブラケット８及び第２ガイドワイヤ６とでガイド装置が構成される。
【００３９】
第１ガイドワイヤ５は、ウエイトバー４を貫通しており、上記第１ガイドワイヤ５は、スクリーン３の昇降時において、ウエイトバー４の各図Ｘ方向の両端のうち一端と接しつつ、当該ウエイトバーをガイドする。
【００４０】
一方、第２ガイドワイヤ６は、ウエイトバー４の各図Ｘ方向の他端に設けられたオフセット部材９を貫通している。オフセット部材９は、当該他端からスクリーン３の前後方向（各図Ｚ方向）に所定のオフセット距離（例えば５ｃｍ前後）を形成するための部材である。したがって第２ガイドワイヤ６は、スクリーン３の昇降時において、オフセット部材９を介して、上記他端からスクリーン３の前後方向において上記オフセット距離だけ離間した位置で、上記ウエイトバー４をガイドする。
【００４１】
当該第１ガイドワイヤ５及び第２ガイドワイヤ６、第１・第２ブラケット７及び８、並びにオフセット部材９を含むガイド装置の詳細については後述する。
【００４２】
図２乃至図４に示すように、ウエイトバー４の、上記第１ガイドワイヤ５側（ブラケット７ａ側）の端部には、ストッパー１０が設けられる。ストッパー１０は、当該ウエイトバー４の第１ガイドワイヤ５への係止（狭着）及び係止解除を切り替えることで、当該ウエイトバー４を任意の昇降位置で停止させることが可能なものである。当該ストッパー１０の詳細についても後述する。
【００４３】
［ガイド装置の詳細］
次に、上記ガイド装置の詳細について説明する。図７は、上記ロールスクリーン１００のウエイトバー４近傍の斜視図であり、図８は、当該ウエイトバー４近傍の部分断面図である。
【００４４】
図５乃至図８に示すように、ガイド装置のオフセット部材９は、ウエイトバー４の一端部（正面視左端部）から、スクリーン３の前後方向（各図Ｚ方向）に延びた平板状のオフセット金具９ａと、当該オフセット金具９ａの先端に形成されたガイド軸９ｂと、当該ガイド軸９ｂの中心を貫通するオフセット孔９ｃを有する。第２ガイドワイヤ６は、このオフセット孔９ｃに挿通される。
【００４５】
このオフセット孔９ｃが上記オフセット金具９ａの先端に設けられることで、第２ガイドワイヤ６は、ウエイトバー４の端部からオフセット孔９ｃまでのオフセット距離だけ、ウエイトバー４から離間した位置においてウエイトバー４をガイドする。
【００４６】
また図５及び図６に示すように、第１ブラケット７ａ及び第２ブラケット７ｂと、第１ブラケット８ａ及び第２ブラケット８ｂとは、スクリーン３の前後方向（各図Ｚ方向）において、上記オフセット距離に相当する距離だけ離間した位置に設けられている。
【００４７】
したがって、上記第１ブラケット７ａと第２ブラケット７ｂとの間に張設される第１ガイドワイヤ５と、上記第１ブラケット８ａと第２ブラケット８ｂとの間に張設される第２ガイドワイヤ６とは、スクリーン３の前後方向において、上記オフセット距離に相当する距離だけ、離間した位置に設けられていると言える。
【００４８】
これにより、スクリーン３の第２ガイドワイヤ６側の縁部３ａの形状が正面視で非垂直（斜め）に形成された場合でも、第２ガイドワイヤ６にスクリーン３が干渉することが防止され、スクリーン３が支障なく昇降可能となる。
【００４９】
また、両ガイドワイヤがウエイトバー４の側面に配置される場合に比べて、スクリーン３のうち、オフセットされた第２ガイドワイヤ６側の部分は、その側部にガイドワイヤが設置されないため、ロールスクリーン１００が設置される窓Ｗの端部まで遮蔽することができ、その部分からの光漏れがより防止される。
【００５０】
図９は、上記第１ガイドワイヤ５の構造を示した正面図（同図Ａ）及びその部分断面図（同図Ｂ）である。また図１０は、図９で示した第１ガイドワイヤ５の張力が調整された状態を示した正面図（同図Ａ）及びその部分断面図（同図Ｂ）である。図示しないが、第１ブラケット８ａ及び第２ブラケット８ｂを含む上記第２ガイドワイヤ６の構造も同様である。
【００５１】
これらの図に示すように、第１ガイドワイヤ５の下端側の第１ブラケット７ａ及び上端側の第２ブラケット７ｂは、それぞれ、上記第１ガイドワイヤ５が通過可能な貫通部７１ａ、７１ｂを有する。
【００５２】
また、第１ガイドワイヤ５の上端側の第２ブラケット７ｂは、筒状部材１１と、バネ１２とを有する。
【００５３】
当該筒状部材１１は、上記第１ガイドワイヤ５の上端部を摺動可能に収容し、上記第２ブラケット７ｂの貫通部７１ｂに挿入される。
【００５４】
上記バネ１２は、例えば圧縮コイルバネとして上記筒状部材１１内に設けられ、上記収容された第１ガイドワイヤ５の上端部を、下端部から離間する方向に付勢している。
【００５５】
また、第１ガイドワイヤ５の上端部には、当該バネ１２の内部を通過できないように、例えば巻回して接着剤で固めたり、駒結びを施したりするなどの方法によって構成された拡径部（膨大部）５ａが形成されている。
【００５６】
また、筒状部材１１の上端には、抜止部としてのフランジ１１ａが形成されている。当該フランジ１１ａは、当該筒状部材１１が第２ブラケット７ｂの貫通部７１ｂに挿入された状態で、貫通部７１ｂの一部（上端）に係止されることで、筒状部材１１が第１ガイドワイヤ５の下端部方向へ移動するのを規制している。
【００５７】
また、第１ガイドワイヤ５の下端には、ネジ部５ｃが設けられ、第１ブラケット７ａは、当該第１ブラケット７ａの貫通部７１ａを通過した第１ガイドワイヤ５の一端のネジ部５ｃに螺合によって連結して、当該第１ガイドワイヤ５の上端部方向への移動を規制する調整部材としてのナット７２を有する。すなわち、ナット７２は、図１０の矢印方向への螺動による締め付け力によって第１ガイドワイヤ５の上端部を下端部側へ引き寄せることが可能である。
【００５８】
またナット７２は、上記締め付け力によって第１ガイドワイヤ５の張力を調整する機能も有する。第１ガイドワイヤ５の上端部には、マーカー５ｂが設けられる。マーカー５ｂは、ナット７２の締め付けによって、第１ガイドワイヤ５の上端部が、上記バネ１２の付勢力に抗して第１ガイドワイヤ５の下端側へ引き寄せられた場合に、筒状部材１１の底部から露出することで、ユーザに上記張力の目安を示し、第１ガイドワイヤ５の緩み過ぎ及び締め過ぎを防止するために設けられる。
【００５９】
すなわち、第１ガイドワイヤ５が緩み過ぎている場合には、第１ガイドワイヤ５が各図Ｙ方向に真っ直ぐに垂下しないため、ウエイトバー４の昇降が円滑にならない。一方、第１ガイドワイヤ５を締め過ぎると、バネ１２の弾性が効かなくなり、ショベルカーＳの運転中等における振動を吸収できなくなる。また同時に、第１ガイドワイヤ５が切れやすくなってしまう。
【００６０】
そこで本実施形態に係るロールスクリーン１００のガイド装置は、上記第１ガイドワイヤ５の張力を基に、上記マーカー５ｂの露出態様を設定している。例えば、理想の張力（上記緩み過ぎでもなく、締め過ぎでもない張力）を、「100〜120（N）」とし、ユーザがナット７２１を締めていき、その張力になったときに、上記マーカー５ｂが筒状部材１１の底部から露出するように設計されている。
【００６１】
もちろん、第１ガイドワイヤ５は、その線径等によって剛性が変わるため、本実施形態において採用された線径等においては上記のとおり設定されるが、剛性が変われば当該設定も適宜変更される。
【００６２】
より具体的には、上記マーカー５ｂが筒状部材１１から例えば５mm程度表れたところを理想張力として設定されてもよい。マーカー５ｂの長さ５mmであってもよいし、それ以上またはそれ以下の長さであってもよい。
【００６３】
マーカー５ｂの長さが５mmとされた場合、５mmを超えて張力をかけるとマーカー５ｂが全部露出され、マーカー５ｂの上端より上の第１ガイドワイヤ５自体が露出してしまった場合に、張力をかけ過ぎたという設定にされてもよい。
【００６４】
また、マーカー５ｂの長さを５cm程度とし、ロールスクリーン１００の窓Ｗへの施工時に、理想張力時におけるマーカー５ｂの露出長を、５mmを目安として調整するように、予め取り決めておいてもよい。
【００６５】
また、マーカー５ｂが筒状部材１１の底部から少しでも見えたところが理想張力とされてもよいし、それ以外の設定や態様にも適宜変更可能である。
【００６６】
なお、マーカー５ｂは、第１ガイドワイヤ５の表面に単に色付けしただけでは、擦れて消えてしまう可能性があるため、例えば焼き付け塗装や熱収縮チューブにて処理されてもよい。
【００６７】
このような構成により、ユーザは、ナット７２を締めるか緩めるかによって、第１ガイドワイヤ５の下端部と第１ブラケット７ａとの連結位置を変動させ、筒状部材１１の底部から露出するマーカー５ｂを第１ガイドワイヤ５の理想的な張力の目安とすることで、張力を容易に調整することができる。
【００６８】
上述したように、第２ガイドワイヤ６についても、上述した図９及び図１０で示した構造と同様の構造が採用され得る。
【００６９】
（ガイドワイヤの取付手順）
図１１Ａ、図１１Ｂ、図１１Ｃ、図１１Ｄは、上記第１ガイドワイヤ５の取付手順を示した図である。図示しないが、第２ガイドワイヤ６の取付手順も同様である。
【００７０】
同図Ａ及びＢに示すように、ユーザはまず、第１ガイドワイヤ５の拡径部５ａがバネ１２の上端部に係止された状態で、当該第１ガイドワイヤ５の上端部及びバネ１２を筒状部材１１に挿入する。
【００７１】
続いて、同図Ｂ及びＣに示すように、ユーザは、上記第１ガイドワイヤ５の下端部のネジ部５ｃからナット７２を外した上で、ネジ部５ｃを第２ブラケット７ｂの貫通部７１ｂに挿通し、続いてネジ部５ｃを第１ブラケット７ａの貫通部７１ａに挿通する。
【００７２】
続いて、同図Ｄに示すように、第１ブラケット７ａの貫通部７１ａに挿通されたネジ部５ｃをナット７２で螺合し、さらに第２ブラケット７ｂの貫通部７１ｂに筒状部材１１を挿入し、筒状部材１１のフランジ１１ａを貫通部７１ｂの上端部で係止させる。
【００７３】
その後、上述したように、ユーザは、ナット７２を締めたり緩めたりすることで、第１ガイドワイヤ５の張力を調整可能である。また、第１ガイドワイヤ５を第１ブラケット７ａ及び第２ブラケット７ｂから取り外す場合には、上記と逆の手順を実行すればよい。
【００７４】
このような構成により、ユーザは、第１ガイドワイヤ５の上端を収容する筒状部材１１を第１ブラケット７ａの貫通部７１ａに挿通させ、第１ガイドワイヤ５の下端に設けたネジ部５ｃを第１ブラケット７ａ及び第２ブラケット７ｂの貫通部７１ａ及び７２ｂに挿通させるだけで、第１ガイドワイヤ５を各ブラケットに連結することができるため、第１ガイドワイヤ５の設置時の作業性及び交換時のメンテナンス性が向上する。またそれととともに、筒状部材１１内のバネ１２により、第１ガイドワイヤ５の他端部（拡径部５ａ）が安定して支持され、強度が向上する。したがって、上記ショベルカーＳ等の重機のような運転時に振動が発生しやすい場所にロールスクリーン１００が設置された場合でも、第１ガイドワイヤ５のブラケット等の固定部材が振動により破損したり、第１ガイドワイヤ５が脱落したりするのが防止される。
【００７５】
また、フランジ１１ａが第２ブラケット７ｂの貫通部７１ｂの上端部に係止されることで、ユーザはこのフランジ１１ａを持って筒状部材１１を貫通部７１ｂから引き出すことで、第２ブラケット７ｂと第１ガイドワイヤ５の上端部との連結を容易に解除することができる。
【００７６】
［ストッパーの詳細］
次に、上記ストッパー１０の詳細について説明する。
【００７７】
図１２は、上記ロールスクリーン１００のストッパー１０周辺の平面視の部分断面図である。図１３は、当該ストッパー１０周辺の平面視の断面図である。図１４は、図８のＡ−Ａ断面図である。図１２Ａ、図１３Ａ、図１４Ａは、それぞれ第１ガイドワイヤ５がストッパー１０によりウエイトバー４に狭着された状態を示し、図１２Ｂ、図１３Ｂ、図１４Ｂは、それぞれ第１ガイドワイヤ５がストッパー１０によるウエイトバー４への狭着が解除された状態（第１ガイドワイヤ５に対してウエイトバー４が移動可能な状態）を示している。
【００７８】
これらの図に示すように、ストッパー１０は、例えば細長の直方体形状の外形を有し、回動支点部４１と、狭着部４２と、操作部４３とを有する。
【００７９】
回動支点部４１は、ウエイトバー４の内部で回動軸によって軸支されており、ストッパー１０の当該回動軸回りの回動の支点となる。当該回動支点部４１の回動軸の方向は、上記第１ガイドワイヤ５の張設方向と平行な方向（各図Ｙ方向）とされる。
【００８０】
狭着部４２は、ウエイトバー４の内部の、上記回動支点部４１とウエイトバー４の一端部（キャップ４ａ）との間に設けられる。また、ストッパー１０内部の操作部４３側には、ストッパーバネ４５が設けられており、狭着部４２は、当該ストッパーバネ４５によって、図１２及び図１３における反時計回り方向に回動するように、常に付勢されている。
【００８１】
上記回動支点部４１によって回動する狭着部４２の先端近傍には、Ｚ方向に突出した凸部５１が形成されており、またストッパー１０内部の、凸部５１に対向する位置には、凹部５２が形成されている。当該凸部５１は、図１４に示すように、ストッパー１０の非操作状態において、上記ストッパーバネ４５の付勢力により、上記凹部５２との間で、上記第１ガイドワイヤ５をクランク状に挟着する。
【００８２】
当該凸部５１及び凹部５２によって、第１ガイドワイヤ５が平面で狭着されるのではなく、クランク状に狭着されることで、ウエイトバー４が狭着位置において確実に保持されることになる。
【００８３】
操作部４３は、上記回動支点部４１に対して、上記狭着部４２とは反対側（狭着部４２よりもウエイトバー４の中央寄りの位置）に、上記ウエイトバー４から各図Ｚ方向に露出するように設けられている。操作部４３は、ユーザの手等によって、上記ストッパーバネ４５の付勢力に抗して、図１２及び図１３の矢印Ｐ方向に押圧されることで、上記回動支点部４１によって図１２及び図１３における時計回り方向（矢印Ｒ方向）へと回転し、上記挟着部４２による第１ガイドワイヤ５の挟着を解除可能である。
【００８４】
この構成により、ストッパー１０のうち狭着部４２がウエイトバー４に内蔵されるとともに操作部４３がウエイトバー４から露出する構造になっているため、意匠性が向上する。また、ユーザは、ウエイトバー４を片手（右手）で持ちながら、露出した操作部４３を例えば親指で押圧してストッパー１０を回動させるだけで、挟着部４２による第１ガイドワイヤ５の挟着を解除し、ウエイトバー４を昇降後に操作部４３の押圧を解除することで、再び挟着部４２が第１ガイドワイヤ５を挟着し、ウエイトバー４を任意の昇降位置で停止させることができ、操作性も向上する。
【００８５】
さらに、挟着部４２は、回動支点部４１を回動軸とする回動によって第１ガイドワイヤ５の挟着を解除できる構造であり、構造が簡素化されて部材のコンパクト化が図れることで、操作部４３が目立たないため、この点でも意匠性が向上する。
【００８６】
さらに、操作部４３が狭着部４２よりもウエイトバー４の中央寄りの位置に設けられていることで、ユーザが操作を行う力点が、ウエイトバー４の中央寄りとなるため、ユーザは操作部４３を押圧しながら片手で安定してウエイトバーを把持して昇降させることができる。
【００８７】
［ロールスクリーンの動作］
次に、以上のように構成されたロールスクリーン１００の動作について説明する。
【００８８】
図３に示すようにロールスクリーン１００が下端まで引き降ろされた状態から、ユーザがウエイトバー４をストッパー１０ごと把持してストッパー１０の操作部４３を押圧すると、上述したように、ストッパー１０による第１ガイドワイヤ５の狭着が解除される。
【００８９】
このとき、巻取パイプ２に内蔵した巻取スプリングの付勢によってスクリーン３には巻取り（上昇）方向の力が作用するため、ユーザがウエイトバー４を手で保持したまま上方向の力を加えると、図４に示すように、ウエイトバー４及びスクリーン３が第１ガイドワイヤ５及び第２ガイドワイヤ６に沿って上昇する。
【００９０】
この際、第１ガイドワイヤ５はウエイトバー４の一端と接しつつウエイトバー４をガイドする一方、第２ガイドワイヤ６は、オフセット部材９の介在により、ウエイトバー４の他端からオフセット距離だけ離間した位置でウエイトバー４をガイドする。これにより、第２ガイドワイヤ６は、非垂直なスクリーン３の縁部３ａと干渉することなく、スクリーン３をスムースに昇降させることができる。
【００９１】
ユーザが、ウエイトバー４を上昇させて、所望の位置で上記操作部４３への押圧を解除することで、上記ストッパー１０により第１ガイドワイヤ５が再び狭着され、当該狭着力によってウエイトバー４及びスクリーン３が当該位置で停止する。
【００９２】
ユーザは、スクリーン３が上端まで上昇した状態から下降させる場合も、上記と同様の操作を行うことで、所望の位置でウエイトバー４を停止させることができる。
【００９３】
［まとめ］
以上説明したように、本実施形態によれば、第２ガイドワイヤ６がスクリーン３と干渉しない位置にあるため、スクリーン３の形状が、ウエイトバー４側ほど幅が小さい矩形以外の形状（台形状）とされた場合でも、第２ガイドワイヤ６がスクリーン３の昇降に支障をきたすことなくスクリーン３を昇降させることができる。
【００９４】
また、本実施形態によれば、第１ガイドワイヤ５（第２ガイドワイヤ６）の上端部が、筒状部材１１内のバネ１２によって第１ガイドワイヤ５の下端部から離間する方向に付勢されており、筒状部材１１のフランジ１１ａが第２ブラケット７ｂに係止されることで、ユーザは、筒状部材１１を第２ブラケット７ｂの貫通部７１ｂに差し込むだけで、第１ガイドワイヤ５を第２ブラケット７ｂに連結することできる。これにより、ガイドワイヤの設置時の作業性及び交換時のメンテナンス性が向上するとともに、筒状部材内のバネにより、ガイドワイヤの上端部が安定して支持され、強度が向上する。
【００９５】
さらに、本実施形態によれば、ストッパー１０のうち狭着部４２がウエイトバー４に内蔵されるとともに操作部４３がウエイトバー４から露出する構造になっているため、意匠性に優れるとともに、ユーザは露出した操作部４３によってストッパー１０を回動させるだけでウエイトバー４を任意の昇降位置で停止させることができ、操作性にも優れたロールスクリーンを提供できる。
【００９６】
［ストッパーの他の実施形態］
次に他の実施形態として、ストッパー６０の詳細について説明する。
【００９７】
図１５は、上記ロールスクリーン１００のストッパー６０周辺の平面視の断面図である。図１５Ａは、第１ガイドワイヤ５がストッパー６０によりウエイトバー４に狭着された状態を示し、図１５Ｂは、第１ガイドワイヤ５がストッパー６０によるウエイトバー４への狭着が解除された状態（第１ガイドワイヤ５に対してウエイトバー４が移動可能な状態）を示している。
【００９８】
これらの図に示すように、ストッパー６０は、ベース６５と、狭着部４２と、ウエイトバー４の正面側に突出する操作部４３とを有する。
【００９９】
ベース６５は、ウエイトバー４の内部で固定されており、挟着部方向に向かって漸近する楔形状であり、ガイドワイヤ５が挿通可能な挿通部６６が形成されており、挿通部６６内には、ガイドワイヤ５に両側から当接可能な一対の係合子６７が配置される。
【０１００】
狭着部４２は、ウエイトバー４の内部のウエイトバー４の一端部側において、ベース６５を収容するように配置されており、また、ストッパー１０内部のベース６５と反対側には、ストッパーバネ４５が設けられており、狭着部４２は、当該ストッパーバネ４５によってＸ方向に移動するように、常に付勢されている。
【０１０１】
狭着部４２の先端近傍は、ベース６５の楔形状に合わせて傾斜する押圧面６１が形成されており、当該押圧面６１は、図１５に示すように、ストッパー６０の非操作状態において、上記ストッパーバネ４５の付勢力により、係合子６７をガイドワイヤ５を挟着する方向に押圧して上記第１ガイドワイヤ５を挟着する。
【０１０２】
ベース６５が楔形状であり、押圧面６１はベース６５の楔形状に合わせて傾斜していることで、挟着部４２がベース方向に移動するに伴って押圧面６１が係合子６７を押し、係合子６７がガイドワイヤ５を挟着する力が強まっていくため、ウエイトバー４が狭着位置において確実に保持されることになる。
【０１０３】
操作部４３は、ユーザの手等によって、上記ストッパーバネ４５の付勢力に抗して、図１５の矢印Ｐ方向に押圧されることで、挟着部４２がベース６５から離間する方向に移動し、挟着部４２による第１ガイドワイヤ５の挟着を解除可能である。
【０１０４】
この構成により、ストッパー６０のうち狭着部４２がウエイトバー４に内蔵されるとともに操作部４３がウエイトバー４から露出する構造になっているため、意匠性が向上する。また、ユーザは、ウエイトバー４を片手（右手）で持ちながら、露出した操作部４３を例えば親指で押圧してストッパー６０を移動させるだけで、挟着部４２による第１ガイドワイヤ５の挟着を解除し、ウエイトバー４を昇降後に操作部４３の押圧を解除することで、再び挟着部４２が第１ガイドワイヤ５を挟着し、ウエイトバー４を任意の昇降位置で停止させることができ、操作性も向上する。
【０１０５】
［変形例］
本発明は上述の実施形態にのみ限定されるものではなく、本技術の要旨を逸脱しない範囲内において種々変更され得る。
【０１０６】
上述の実施形態では、スクリーン３の前後方向（Ｚ方向）において異なる位置に設けられるガイド部材として、第１ガイドワイヤ５及び第２ガイドワイヤ６が示されたが、当該ガイド部材として、ガイドワイヤに代わりガイドレールが用いられてもよい。
【０１０７】
図１６は、ガイド部材としてガイドレールが用いられたロールスクリーンの斜視図である。
【０１０８】
同図に示すように、当該変形例に係るロールスクリーン２００のガイド部材は、第１ガイドレール１５と第２ガイドレール１６とを有する。
【０１０９】
第１ガイドレール１５は、スクリーン３の昇降時においてウエイトバー４の一端部を同図Ｙ方向へ摺動させてガイドするガイド溝１５ａを内面に有する。
【０１１０】
また、ウエイトバー４の他端部には、上述の実施形態と同様の機能を有するオフセット部材９が設けられている。具体的には、同図におけるオフセット部材９は、ウエイトバー４の他端部からスクリーン３の前後方向（Ｚ方向）に上記オフセット距離だけ延在しＸ方向（第２ガイドレール１６のガイド溝１６ａ方向）へ屈曲した、Ｌ字形状の部材として構成される。
【０１１１】
第２ガイドレール１５は、スクリーン３の昇降時において、上記オフセット部材９のうち、上記オフセット距離だけウエイトバー４から離間した屈曲部分を摺動させる。
【０１１２】
またウエイトバー４の上記第１ガイドレール１５側の端部には、上述の実施形態と同様に、当該ウエイトバー４の第１ガイドレール１５への係止及び係止解除を切り替えてウエイトバー４を任意の昇降位置で停止させることが可能なストッパー１０が設けられる。
【０１１３】
当該ストッパー１０は、その非操作状態において、バネ等によって第１ガイドレール１５（ガイド溝１５ａ）の内面を圧接する構造を有する。例えば、非操作状態においてバネの付勢力によりガイド溝１５ａに係合して圧接する部材が設けられ、上記操作部４３が押圧されることで、当該部材による圧接が解除されるような構造が採用されてもよい。
【０１１４】
このように、ガイド部材としてガイドレールが採用された場合でも、第２ガイドレール６がオフセット部材９の離間した位置を摺動させることで、第２ガイドレール９がスクリーン３と干渉するのを防ぐことができる。
【０１１５】
上述の実施形態では、スクリーン３の形状は、各図Ｙ方向で対向する上辺と底面のうち上辺が底辺よりも長く、Ｘ方向で対向する両辺のうち正面視における右辺が垂直であり、左辺が非垂直である台形形状とされた。しかし、スクリーン３の形状は、その幅が、少なくとも一部が他部よりも小さく形成されていれば、上記形状に限られない。例えば、スクリーン３は、その上辺が底辺よりも短い台形形状とされてもよいし、Ｘ方向で対向する両辺がいずれも非垂直である台形形状とされてもよいし、スクリーンの昇降方向（Ｙ方向）の途中位置においてＸ方向で対向する両辺の幅が狭くなっているような形状としてもよい。このような場合でも、スクリーン３の前後方向に離間した位置に設けられるガイドワイヤが適宜用いられる。
【０１１６】
上述の実施形態においては、上記筒状部材１１の、第１ガイドワイヤ５の下端部方向への移動を規制する抜止部として、第２ブラケット７ｂの上端に係止されるフランジ１１ａが示された。しかし、抜止部は、フランジ１１ａに限られない。例えば、第２ブラケット７ｂの貫通部７１ｂ及び筒状部材１１が、上部から下部に向かう程径が小さくなる逆円錐形状または上部から下部に向かう程断面積が小さくなる逆角錐形状に形成されることで抜止部が構成されてもよい。
【０１１７】
上述の実施形態では、第１ガイドワイヤ５及び第２ガイドワイヤ６の両方に、上記図９乃至図１１で示した固定構造が用いられる例が示された。しかし、当該固定構造は、両ガイドワイヤのうち一方のみに採用されてもよい。
【０１１８】
また、上述の実施形態では、第１ガイドワイヤ５及び第２ガイドワイヤ６の張力の調整に、各ガイドワイヤの下端のネジ部と、ナット７２とが用いられた。しかし、当該張力の調整は、当該ネジ部とナット７２以外の構造によって実現されてもよい。例えば、第１ガイドワイヤ５の下端部に設けられた爪と、第１ブラケット７ａの下端部に上下方向（Ｙ）方向に複数設けられた、当該爪と係合可能な係合部（係合孔や係合突起等）によって張力が調整されてもよい。
【０１１９】
上述の各実施形態では、遮蔽材としてスクリーン３を有するロールスクリーンに本発明が適用された例が示された。しかし、図９乃至図１１に示したガイドワイヤの固定構造、及び、図１２乃至図１５で示したストッパー１０の狭着構造は、例えばベネシャンブラインド、プリーツスクリーン、ローマンシェード等の他のブラインドにも同様に適用可能である。
【符号の説明】
【０１２０】
１…支持部材
２…巻取パイプ
３…スクリーン
４…ウエイトバー
５…第１ガイドワイヤ
５ａ…拡径部
５ｂ…マーカー
５ｃ…ネジ部
６…第２ガイドワイヤ
７ａ・８ａ…第１ブラケット
７ｂ・８ｂ…第２ブラケット
９…オフセット部材
９ａ…オフセット金具
９ｂ…ガイド軸
９ｃ…オフセット孔
１０…ストッパー
１１…筒状部材
１１ａ…フランジ
１２…バネ
１５…第１ガイドレール
１５ａ…ガイド溝
１６…第２ガイドレール
１６ａ…ガイド溝
４１…回動支点部
４２…狭着部
４３…操作部
４５…ストッパーバネ
５１…凸部
５２…凹部
７１ａ・７１ｂ…貫通部
７２・８２…ナット
１００・２００…ロールスクリーン
Ｓ…ショベルカー
Ｄ…運転席
Ｗ…窓
【図１】
2018040106.tif 000003
【図２】
2018040106.tif 000004
【図３】
2018040106.tif 000005
【図４】
2018040106.tif 000006
【図５】
2018040106.tif 000007
【図６】
2018040106.tif 000008
【図７】
2018040106.tif 000009
【図８】
2018040106.tif 000010
【図９】
2018040106.tif 000011
【図１０】
2018040106.tif 000012
【図１１Ａ】
2018040106.tif 000013
【図１１Ｂ】
2018040106.tif 000014
【図１１Ｃ】
2018040106.tif 000015
【図１１Ｄ】
2018040106.tif 000016
【図１２】
2018040106.tif 000017
【図１３】
2018040106.tif 000018
【図１４】
2018040106.tif 000019
【図１５】
2018040106.tif 000020
【図１６】
2018040106.tif 000021